(57)【要約】物体（２）のための容量可変貯蔵所（１）であって、その中で無端駆動コンベヤーベルト（１２）が物体（２）の集団をインプットステーション（S１）からアウトプットステーション（S２)へ運ぶための搬送ブランチ（６）を区画し、かつアウトプットステーション（S２)からインプットステーション（S１）へ延びる戻りブランチ（９）を区画し；搬送ブランチ（６）が完全に水平貯蔵面（１３）の上方に配置されており、かつ貯蔵所（１）がインプットステーション（S１）および／またはアウトプットステーション（S２）に配置されている少なくとも１個の垂直コンベヤー（１４）に接続されて物体（２）の集団を水平貯蔵面（１３）へ／から引き上げ／引き降ろし、かつ可撓ベルト（１２）のアップ／ダウンブランチ（１６）により少なくとも部分的に区画されている。
2005502375.tif 000002
【特許請求の範囲】
【請求項１】
物体のための容量可変貯蔵所であって、無端駆動可撓ベルト（１２）を包含し、このベルトが物体（２）の集団をインプットステーション（S１）からアウトプットステーション（S２)へ運ぶための搬送ブランチ（６）を区画し、かつアウトプットステーション（S２)からインプットステーション（S１）へ延びる戻りブランチ（９）を区画し；可撓ベルト（１２）の搬送ブランチ（６）が完全に水平貯蔵面（１３）の上方に配置されており、かつ貯蔵所（１）がインプットまたはアウトプットステーション（S１；S２）に配置されている少なくとも１個の垂直コンベヤー（１４；１５）に接続されて物体（２）の集団を水平貯蔵面（１３）へ／から引き上げ／引き降ろしするものにおいて；貯蔵所（１）がインプットまたはアウトプットステーション（S１；S２）で、可撓ベルト（１２）が対応するアップ／ダウンブランチ（１６）を包含し、その中で可撓ベルト（１２）が水平貯蔵面（１３）の下方へ延びて垂直コンベヤー（１４；１５）の少なくとも１部を区画していることを特徴としている、貯蔵所。
【請求項２】
可撓ベルト（１２）の上記アップ／ダウンブランチ（１６）が物体（２）の水平コンベヤー（３）に対する接続のために短い水平部分で終わっていることを特徴としている、請求項１に記載の貯蔵所。
【請求項３】
インプットおよびアウトプットステーション（S１；S２）に配置されている２個の垂直コンベヤー（１４、１５）に接続されて物体（２）の集団を水平貯蔵面（１３）へ／から引き上げ／引き降ろしされ；インプットおよびアウトプットステーション（S１；S２）で、可撓ベルト（１２）が２個の対応するアップ／ダウンブランチ（１６）を包含し、その中で可撓ベルト（１２）が水平貯蔵面（１３）の下方へ垂直に延びて垂直コンベヤー（１４、１５）の少なくとも１部を区画していることを特徴としている、貯蔵所。
【請求項４】
上記垂直コンベヤー（１４；１５）が垂直ダクト（１７）を包含し、その垂直ダクトは断面矩形で４個の垂直壁（１８）により区画されており、それらの第１は可撓ベルト（１２）の上記アップ／ダウンブランチ（１６）により区画されていることを特徴としている、請求項１、２または３に記載の貯蔵所。
【請求項５】
２個の他の第２壁（１８）は対応する固定平坦要素（１９）により区画され、一方可撓ベルト（１２）の上記アップ／ダウンブランチ（１６）に面しかつ反対側の第３垂直壁（１８）は可撓ベルト（１２）と同期している更なる無端駆動コンベヤーベルト（１９）により区画されていることを特徴としている、請求項４に記載の貯蔵所。
【請求項６】
上記更なるコンベヤーベルト（１９）は上記可撓ベルト（１２）から引き出された動きにより駆動されることを特徴としている、請求項５に記載の貯蔵所。
【請求項７】
上記垂直コンベヤー（１４；１５）が可撓ベルト（１２）のアップ／ダウンブランチ（１６）により区画されて、垂直軸（２１）を有するドラム（２０）周りを旋回していることを特徴としている、請求項１、２または３に記載の貯蔵所。
【請求項８】
インプットまたはアウトプットステーション（S１；S２）で、可撓ベルト（１２）のアップ／ダウンブランチ（１６）が第１部分（２２）を包含し、その中で可撓ベルト（１２）が水平貯蔵面（１３）の下側へ垂直下方へ延び、かつ第２部分（２３）を包含し、その中で可撓ベルト（１２）がドラム（２０）周りを水平貯蔵面（１３）上方へ旋回することを特徴としている、請求項７に記載の貯蔵所。
【請求項９】
可撓ベルト（１２）の第２部分（２３）が物体（２）の水平コンベヤー（３）に対してブリッジ（２５）により接続されていることを特徴としている、請求項８に記載の貯蔵所。
【請求項１０】
搬送ブランチ（６）の長さ（L１）および戻りブランチ（９）の長さ（L２）を補足的な方法で調節するための調整ユニットを包含することにより、貯蔵所（１）の貯蔵容量を調節可能としたことを特徴としている、請求項１ないし９の何れかに記載の貯蔵所。
【請求項１１】
上記搬送ブランチ（６）が第１インプットドラム（７）と第２アウトプットドラム（８）の間を延び、かつ戻りブランチ（９）が第３インプットドラム（１０）と第４アウトプットドラム（１１）の間を延び；上記第２および第３ドラム（８、１０）が固定位置に配置され；かつ上記第１および上記第４ドラム（７、１１）が対応する第２および第３ドラム（８、１０）に対して等量だけただし反対方向に上記調整ユニットにより動かされることを特徴としている、請求項１０に記載の貯蔵所。
【発明の詳細な説明】
【技術分野】
【０００１】
本発明は容量可変貯蔵所に関する。
【０００２】
本発明は紙巻タバコの貯蔵に利するように使用されることができ、以下の記述は純粋に例示のためのものである。
【背景技術】
【０００３】
紙巻タバコの製造および梱包工場においては、例えば特許出願EPO７３８４７８内に記載されているタイプの可変容量貯蔵所が紙巻タバコ製造機械と梱包機械の間に配置されて製造される紙巻タバコの数と梱包される紙巻タバコの数の間の差が補正されている。
【０００４】
特許出願EPO７３８４７８内に記載されている貯蔵所は可変容量FIFO（先入れ先出し法）貯蔵所、即ちその中では貯蔵所内へ最初に供給された紙巻タバコは最初に送り出され、紙巻タバコが貯蔵所内に長く滞留することを阻止しかつそれらの芳香が失われる可能性を阻止している。
【０００５】
より詳細には、特許出願EPO７３８４７８内に記載されている貯蔵所は紙巻タバコ供給通路に沿って直列に配置されたインプットステーションおよびアウトプットステーション；および無端コンベヤーを包含しており、この無端コンベヤーは紙巻タバコを通路に沿って搬送するための搬送ブランチ、および戻りブランチを包含し、この戻りブランチは対応するドラム対周りの所定長さの第１および第２コイルをそれぞれ区画している。使用中においては、紙巻タバコは搬送ブランチによりインプットステーションからアウトプットステーションへ供給され、かつ調整部材が２ブランチの長さを貯蔵所の全容量を調節するために補正方式で調整する。
【０００６】
上述タイプの可変容量貯蔵所が実用的であることは実証されており、従って紙巻タバコの製造および梱包工場において広く使用されており、かつかなりのサイズであるが軽量であり、利用可能な床スペースの有効使用を図るために通常は床から所定高さ（少なくとも３ｍ）に装着される。しかしながら、そのように床から高く配置されるので、貯蔵所をインプットコンベヤー（紙巻タバコをインプットステーションへ供給する）および／またはアウトプットコンベヤー（紙巻タバコをアウトプットステーションから受け取る）に接続するのが比較的複雑でありかつ高価であることが分かっており、それはインプットおよびアウトプットステーションに貯蔵所へ／から紙巻タバコの集団を引き上げ／引き降ろすための特別な垂直コンベヤーが要求されるからである。
【発明の開示】
【発明が解決しようとする課題】
【０００７】
本発明の目的は前述の欠点を回避し、かつ特に安価で装着が容易な可変容量貯蔵所の提供にある。
【課題を解決するための手段】
【０００８】
本発明によると、物体のための容量可変貯蔵所が提供され、その貯蔵所は無端駆動可撓ベルトを包含し、このベルトが物体の集団をインプットステーションからアウトプットステーションへ運ぶための搬送ブランチを区画し、かつアウトプットステーションからインプットステーションへ延びる戻りブランチを区画し；可撓ベルトの搬送および戻りブランチが完全に水平貯蔵面の上方に配置されており、かつ貯蔵所がインプットまたはアウトプットステーションに配置されている少なくとも１個の垂直コンベヤーに接続されて物体の集団を水平貯蔵面へ／から引き上げ／引き降ろし；貯蔵所がインプットまたはアウトプットステーションで、可撓ベルトが対応する垂直ブランチを包含し、その中で可撓ベルトが水平貯蔵面の下方へ延びて垂直コンベヤーの少なくとも１部を区画していることを特徴としている。
【発明を実施するための最良の形態】
【０００９】
図１内の符号１は全体として紙巻タバコ２のための可変容量FIFO（先入れ先出し法）貯蔵所を表示しており、即ち、その中では貯蔵所１へ供給された最初の紙巻タバコ２は貯蔵所１から排出される最初の紙巻タバコ２である。貯蔵所１は紙巻タバコ２の供給通路Ｐに沿って直列に配置されているインプットステーションＳ１およびアウトプットステーションＳ２を包含し；インプットステーションＳ１は製造機械（図示されていない）のアウトプットコンベヤー３からの連続流内の紙巻タバコ２の集団を受け取り；かつアウトプットステーションＳ２は連続流内の紙巻タバコ２の集団を梱包機械（図示されていない）のインプットコンベヤー４へ供給する。
【００１０】
また貯蔵所１は無端コンベヤー５を包含し、それは順に搬送ブランチ６を包含し、この搬送ブランチは実質的に水平（即ち、水平に対して僅かに２０°だけ傾斜している）であり、インプットステーションＳ１に近いドラム７とアウトプットステーションＳ２の間に延びており、インプットステーションＳ１からアウトプットステーションＳ２へ紙巻タバコ２を供給し；およびアウトプットステーションＳ２に近いドラム１０とインプットステーションＳ１に近いドラム１１の間に延びている戻りブランチ９を包含している。
【００１１】
コンベヤー５は多数の公知の伝達プーリー（簡単化のために図示されていない）周りに延びる可撓ベルト１２（図２内に示されている）を包含しており、幾らかのプーリーはベルト１２に動きを伝えるために駆動されており；かつベルト１２はドラム７および８（搬送ブランチ６）周りおよびドラム１０および１１（戻りブランチ９）周りに対応するコイル状に券回する。
【００１２】
貯蔵所１はまた搬送ブランチ６の長さＬ１および戻りブランチ９の長さＬ２を補足的方法で調節するための公知の調整ユニット（図示されていない）を包含して、貯蔵所１の貯蔵容量を調整できるようにしている。より詳細には、ドラム８および１０の位置が固定され、かつ調整ユニットがドラム７および１１を対応するドラム８および１０に関連して同量だけただし反対方向に動かす。
【００１３】
ドラム７がドラム８側へ動かされると、貯蔵所１の貯蔵容量はドラム７および８回りに巻かれている搬送ブランチ６の短縮しただけ減され；余剰可撓ベルト１２は伸長された戻りブランチ９により明確に吸収され、この伸長はドラム７がドラム８側へ動かされた量と同じだけただし反対方向へドラム１１がドラム１０から離れる方向へ動くことにより行われる。
【００１４】
同様に、ドラム７がドラム８から離れる方向へ動かされると、貯蔵所１の貯蔵容量はドラム７および８周りに巻かれている搬送ブランチ６の伸長により増加され；かつ余分の可撓ベルト１２は戻りブランチ９の短縮により明確に供給され、この短縮はドラム７がドラム８から離れる方向へ動かされた量と同じだけただし反対方向へドラム１１をドラム１０側へ動かすことにより行われる。
【００１５】
貯蔵所１は床から比較的に高く（通常３メートルより高く）離れて配置されており、従って搬送ブランチ６および戻りブランチ９の双方は水平貯蔵面１３の上方に配置され、一方コンベヤー３および４は水平貯蔵面１３の下方に配置され；かつ、インプットステーションＳ１およびアウトプットステーションＳ２の所で、貯蔵所１は対応する垂直コンベヤー１４および１５に接続されて紙巻タバコ２の集団を水平貯蔵面１３へ／から引き上げ／引き降ろされる。
【００１６】
図２内に示されているように、インプットステーションＳ１の所で、可撓ベルト１２はアップ／ダウンブランチ１６を包含し、その中で可撓ベルト１２は垂直でありかつ水平貯蔵面１３の下側へ垂直下方へ延びて対応する垂直コンベヤー１４の部分を区画している。図示されていない異なる実施例においては、可撓ベルト１２が２個のアップ／ダウンブランチ１６を包含し、これが対応するインプットおよびアウトプットステーションＳ１、Ｓ２の所で対応する垂直コンベヤー１４、１５を区画している。
【００１７】
インプットステーションＳ１の所の垂直コンベヤー１４は４個の垂直な壁１８により区画された矩形断面の垂直ダクト１７を包含しており、壁のひとつは可撓ベルト１２のアップ／ダウンブランチ１６により区画され、反対側のアップ／ダウンブランチ１６に面した垂直壁１８は可撓ベルト１２と同期する更なる駆動無端コンベヤーベルト１９により区画され、かつ他の２個の垂直壁１８は図示されていない対応する固定平坦要素により区画されている。更なるコンベヤーベルト１９は好ましくは可撓ベルト１２から直接引き出される動きにより駆動される。図示されていない異なる実施例においては、ひとつの垂直壁１８は可撓ベルト１２のアップ／ダウンブランチ１６により区画され、かつ他の垂直壁１８は対応する固定平坦要素により区画されている。好ましくは、図２内に示されているように、可撓ベルト１２のアップ／ダウンブランチ１６は水平コンベヤー３に対する連結のために短い水平部分で終わっている。
【００１８】
図３内に示されている代わりの実施例においては、可撓ベルト１２のアップ／ダウンブランチ１６はインプットステーションS１で垂直軸２１付きのドラム２０周りの旋回によるコンベヤー１４を区画している。より詳細には、インプットステーションS１で、可撓ベルト１２は部分２２を包含しその中では可撓ベルト１２は水平貯蔵面１３の下方の水平コンベヤー３のレベルへ垂直下方へ延び；かつ部分２３を包含しその中では可撓ベルト１２はドラム２０周りを旋回しかつ水平貯蔵面１３上へ登る。乗換えステーション２４では、水平コンベヤー３は可撓ベルト１２の部分２３にブリッジ２５により連結されて水平コンベヤー３上の紙巻タバコ２の集団が可撓ベルト１２に対して乗り換わる。図３の実施例は好ましくは貯蔵所１のアウトプットステーションS２でコンベヤー１５の形成に使用される。
【００１９】
実際の使用においては、水平コンベヤー３上の紙巻タバコ２の集団は乗換えステーション２４で可撓ベルト１２の部分２３に乗せ換えられ、かつそれから可撓ベルト１２の動きにより貯蔵所１のインプットステーションS１を通して水平貯蔵面１３上に供給される。
【００２０】
図３の実施例は紙巻タバコ２の集団を水平貯蔵面１３上に、垂直とは反対の、螺旋通路に沿って供給する利点を備え、このようにして機械的応力を減し、かつ紙巻タバコ２に対する可能な損傷を減す。
【００２１】
実際の使用において、紙巻タバコ２はコンベヤー３から連続的にインプットステーションS１および搬送ブランチ６上へ供給され、それから搬送ブランチ６によりアウトプットステーションS２へ供給され、そこで貯蔵所１へ最初に供給された紙巻タバコ２がコンベヤー４上へ供給される。
【００２２】
通常の操作条件においては、コンベヤー３によりインプットステーションS１へ供給される紙巻タバコ２の数はアウトプットステーションS２でコンベヤー４により吸い取られる紙巻タバコ２の数と等しく；かつ、インプットステーションS１へ供給される紙巻タバコ２の数がアウトプットステーションS２で吸い取られる紙巻タバコ２の数と異なる場合は、公知の調整ユニット（図示されていない）がドラム７および１１を対応するドラム８および１０に対し動かして貯蔵所１の容量を調節しかつインプットステーションS１で供給される紙巻タバコ２の数とアウトプットステーションS２で吸い取られる紙巻タバコ２の数の差を補正する。
【００２３】
貯蔵所１は従って対応する垂直コンベヤー１４および１５によりコンベヤー３および４に安価にかつ容易に接続され、上記垂直コンベヤーは可撓ベルト１２のアップ／ダウンブランチ１６を使用して実質的に構成されている。
【図面の簡単な説明】
【００２４】
本発明の非限定的な実施例が添付図面に関連して一例として記述されるであろう。
【図１】本発明による紙巻タバコ貯蔵所の斜視略図である。
【図２】図１の貯蔵所の垂直コンベヤーの部分縦断側面図である。
【図３】図２の垂直コンベヤーの異なる実施例の斜視略図である。
【国際公開パンフレット】
2005502375.tif 000003
2005502375.tif 000004
2005502375.tif 000005
2005502375.tif 000006
2005502375.tif 000007
2005502375.tif 000008
2005502375.tif 000009
2005502375.tif 000010
2005502375.tif 000011
2005502375.tif 000012
2005502375.tif 000013
2005502375.tif 000014
2005502375.tif 000015
2005502375.tif 000016
2005502375.tif 000017
【手続補正書】
【提出日】平成15年9月9日(2003.9.9)
【手続補正１】
【補正対象書類名】特許請求の範囲
【補正対象項目名】全文
【補正方法】変更
【補正の内容】
【特許請求の範囲】
【請求項１】
物体のための容量可変貯蔵所であって、かつ無端駆動可撓ベルト（１２）を包含し、このベルトが物体（２）の集団をインプットステーション（S１）からアウトプットステーション（S２)へ運ぶための搬送ブランチ（６）を区画し、かつアウトプットステーション（S２)からインプットステーション（S１）へ延びる戻りブランチ（９）を区画し；インプットステーション（S１）およびアウトプットステーション（S２）が完全に水平貯蔵面（１３）の上方に配置されており、かつ貯蔵所（１）がインプットまたはアウトプットステーション（S１；S２）に配置されている少なくとも１個の垂直コンベヤー（１４；１５）に接続されて物体（２）の集団を水平貯蔵面（１３）へ／から引き上げ／引き降ろしするものにおいて；貯蔵所（１）がインプットまたはアウトプットステーション（S１；S２）で、可撓ベルト（１２）が対応するアップ／ダウンブランチ（１６）を包含し、その中で可撓ベルト（１２）が水平貯蔵面（１３）の下方へ延びて垂直コンベヤー（１４；１５）の少なくとも１部を区画していることを特徴としている、貯蔵所。
【請求項２】
可撓ベルト（１２）の上記アップ／ダウンブランチ（１６）が物体（２）の水平コンベヤー（３）に対する接続のために短い水平部分で終わっていることを特徴としている、請求項１に記載の貯蔵所。
【請求項３】
インプットおよびアウトプットステーション（S１；S２）に配置されている２個の垂直コンベヤー（１４、１５）に接続されて物体（２）の集団を水平貯蔵面（１３）へ／から引き上げ／引き降ろしされ；インプットおよびアウトプットステーション（S１；S２）で、可撓ベルト（１２）が２個の対応するアップ／ダウンブランチ（１６）を包含し、その中で可撓ベルト（１２）が水平貯蔵面（１３）の下方へ垂直に延びて垂直コンベヤー（１４、１５）の少なくとも１部を区画していることを特徴としている、貯蔵所。
【請求項４】
上記垂直コンベヤー（１４；１５）が垂直ダクト（１７）を包含し、その垂直ダクトは断面矩形で４個の垂直壁（１８）により区画されており、それらの第１は可撓ベルト（１２）の上記アップ／ダウンブランチ（１６）により区画されていることを特徴としている、請求項１、２または３に記載の貯蔵所。
【請求項５】
２個の他の第２壁（１８）は対応する固定平坦要素（１９）により区画され、一方可撓ベルト（１２）の上記アップ／ダウンブランチ（１６）に面しかつ反対側の第３垂直壁（１８）は可撓ベルト（１２）と同期している更なる無端駆動コンベヤーベルト（１９）により区画されていることを特徴としている、請求項４に記載の貯蔵所。
【請求項６】
上記更なるコンベヤーベルト（１９）は上記可撓ベルト（１２）から引き出された動きにより駆動されることを特徴としている、請求項５に記載の貯蔵所。
【請求項７】
上記垂直コンベヤー（１４；１５）が可撓ベルト（１２）のアップ／ダウンブランチ（１６）により区画されて、垂直軸（２１）を有するドラム（２０）周りを旋回していることを特徴としている、請求項１、２または３に記載の貯蔵所。
【請求項８】
インプットまたはアウトプットステーション（S１；S２）で、可撓ベルト（１２）のアップ／ダウンブランチ（１６）が第１部分（２２）を包含し、その中で可撓ベルト（１２）が水平貯蔵面（１３）の下側へ垂直下方へ延び、かつ第２部分（２３）を包含し、その中で可撓ベルト（１２）がドラム（２０）周りを水平貯蔵面（１３）上方へ旋回することを特徴としている、請求項７に記載の貯蔵所。
【請求項９】
可撓ベルト（１２）の第２部分（２３）が物体（２）の水平コンベヤー（３）に対してブリッジ（２５）により接続されていることを特徴としている、請求項８に記載の貯蔵所。
【請求項１０】
搬送ブランチ（６）の長さ（L１）および戻りブランチ（９）の長さ（L２）を補足的な方法で調節するための調整ユニットを包含することにより、貯蔵所（１）の貯蔵容量を調節可能としたことを特徴としている、請求項１ないし９の何れかに記載の貯蔵所。
【請求項１１】
上記搬送ブランチ（６）が第１インプットドラム（７）と第２アウトプットドラム（８）の間を延び、かつ戻りブランチ（９）が第３インプットドラム（１０）と第４アウトプットドラム（１１）の間を延び；上記第２および第３ドラム（８、１０）が固定位置に配置され；かつ上記第１および上記第４ドラム（７、１１）が対応する第２および第３ドラム（８、１０）に対して等量だけただし反対方向に上記調整ユニットにより動かされることを特徴としている、請求項１０に記載の貯蔵所。
【手続補正２】
【補正対象書類名】明細書
【補正対象項目名】０００８
【補正方法】変更
【補正の内容】
【０００８】
本発明によると、物体のための容量可変貯蔵所が提供され、その貯蔵所は無端駆動可撓ベルトを包含し、このベルトが物体の集団をインプットステーションからアウトプットステーションへ運ぶための搬送ブランチを区画し、かつアウトプットステーションからインプットステーションへ延びる戻りブランチを区画し；インプットステーションおよびアウトプットステーションが完全に水平貯蔵面の上方に配置されており、かつ貯蔵所がインプットまたはアウトプットステーションに配置されている少なくとも１個の垂直コンベヤーに接続されて物体の集団を水平貯蔵面へ／から引き上げ／引き降ろし；貯蔵所がインプットまたはアウトプットステーションで、可撓ベルトが対応するアップ／ダウンブランチを包含し、その中で可撓ベルトが水平貯蔵面の下方へ延びて垂直コンベヤーの少なくとも１部を区画していることを特徴としている。




【国際調査報告】
2005502375.tif 000018
2005502375.tif 000019